(57)【要約】【課題】  商品の残量がだんだん少なくなったときに、商品を取りづらくなったり、見た目が悪くなったりするのを簡易に防止できる商品収納容器の提供。【解決手段】  前板１と、前板よりも高さの高い後板２と、左右の側板３と、床板５とを備え、床板５は、左右端部または後端部に係止部７を有し、左右の側板３または後板４は、上下方向に複数の被係止部１３を有し、前板１の後側に床板支持部４を有し、床板５の前側端部を床板支持部４に支持するとともに係止部７を被係止部１３に係止して、床板５のみを傾斜自在としたことを特徴とする。【選択図】      図１
2006000551.tif 000002
【特許請求の範囲】
【請求項１】
前板と、前板よりも高さの高い後板と、左右の側板と、床板とを備え、床板は、左右端部または後端部に係止部を有し、左右の側板または後板は、上下方向に複数の被係止部を有し、前板の後側に床板支持部を有し、床板の前側端部を床板支持部に支持するとともに床板の係止部を被係止部に係止して、床板のみを傾斜自在としたことを特徴とする商品収納容器。
【発明の詳細な説明】
【技術分野】
【０００１】
本発明は、ドラッグストアやスーパー等において、歯ブラシや石鹸などの小物類を大量に収納して販売に供するための商品収納容器に関するものである。
【背景技術】
【０００２】
ドラッグストアやスーパーなどで、商品陳列と売場の演出を同時に行う手法として、商品陳列棚の下部スペースに、ワイヤーバスケットや前面側の壁の高さを低くした箱等の、内容物がよく見える底の深い容器を置き、その中に歯ブラシや石鹸、菓子類等の小物類の商品を無造作に入れておくことがある。このような商品収納容器は、収納した商品の量が多いときは良いが、商品が少なくなると客が商品を取りづらくなり、同時に見た目も悪くなって商品の販売・展示効果が著しく低下する。特許文献１に記載されているように、商品収納容器全体を傾けられるようにしたものは従来から有るが、これは中の商品の量に関係なく常時傾斜させて商品を陳列・販売するものであり、上記不都合を解消できるものではなかった。
【特許文献１】特開平９−７５１８３号公報
【発明の開示】
【発明が解決しようとする課題】
【０００３】
本発明は以上に述べたような実情に鑑みてなされたものであって、商品の残量がだんだん少なくなったときに、商品を取りづらくなったり、見た目が悪くなったりするのを簡易に防止できる商品収納容器の提供を目的とする。
【課題を解決するための手段】
【０００４】
上記の課題を達成するために本発明の商品収納容器は、前板と、前板よりも高さの高い後板と、左右の側板と、床板とを備え、床板は、左右端部または後端部に係止部を有し、左右の側板または後板は、上下方向に複数の被係止部を有し、前板の後側に床板支持部を有し、床板の前側端部を床板支持部に支持するとともに床板の係止部を被係止部に係止して、床板のみを傾斜自在としたことを特徴とする。床板の係止部は、床板と別体に設けることもできるし、床板と一体に設けることもできる。
【発明の効果】
【０００５】
本発明の商品収納容器は、商品の残量が少なくなるのに応じて床板の傾斜角度を徐々に大きくして、商品を床板により簡易に嵩上げし、商品の残量によらず常に商品を取り易く且つ見栄えのする状態で収納し販売できる。
【発明を実施するための最良の形態】
【０００６】
以下、本発明の実施の形態を図面に基づいて説明する。図１から図３は、本発明の商品収納容器の第一実施形態を示している。この商品収納容器は、ドラッグストアやスーパー等の店舗において、床面に近い低い場所に設置し、内部に歯ブラシや石鹸等の小物類の商品を大量に且つ無造作に収納して販売に供するものである。この商品収納容器は、容器本体１０と、容器本体内に収納して設置する床板５とを備えている。
【０００７】
容器本体１０は、所定形状に切断した複数の金属板を曲げ加工し、溶接して略筒状に形成したもので、前板１と、後板２と、左右の側板３とを有している。前板１は、後板２よりも高さが低く、左右の側板３は前後板１，２の高さに合わせて上端部を斜めに切断してあるので、前方から容器内の商品が見やすく、且つ商品が取り出し易くなっている。前板１、後板２、左右の側板３の下部は、それぞれ容器内側に折り曲げて溶接によって繋げてあり、中央に開口部１１が形成されている。前板１の後側には床板支持部４を形成してあり、側板３を折り曲げた部分にはキャスター１２を取付けてある。左右の側板には、床板５のフック７が係止するフック係止孔１３を、側板３後側の下部から上部にかけて複数形成してある。フック係止孔１３は横長のスリット状で、図１に示すように、一番下のものは略水平に設けられ、他のものはこれを床板支持部４の前側を基準として回転させた位置に分散して、傾けて形成してある。左右のフック７は、左右の側板３の同じ高さ位置にあるフック係止孔１３に、容器内側からフック上部の折れ曲った部分を挿入・係止して取付けられる。
【０００８】
床板５は、所定形状に切断した一枚の金属板を曲げ加工し、溶接して形成され、前側端部には容器本体の床板支持部４への当接部１４を下方に突出して形成してあり、床板５の側板の後側端部には切り欠き部６を形成し、該切り欠き部６にフック７を係止している。床板５は、容器本体底側の開口部１１の面積よりも大きいものである。床板５は、上方より容器本体１０内に収納し、図１に示すように、当接部１４を前板１後方の床板支持部４上に支持するとともに、側板のフック係止孔１３に係止して取付けるフック７に切り欠き部６を係止して設置される。フック７を一番下のフック係止孔１３に係止したときには床板５は略水平に設置され、一番上のフック係止孔１３にフック７を係止したときには、床板５は約４５°に傾斜して設置される。本収納容器は、フック７の高さ位置を変更することで、収納する商品の残量に応じて床板５を適宜傾斜させて商品を自由に嵩上げすることができ、商品が少なくなったときでも、商品が容器内の前側に集められ、優れた販売・展示効果を発揮できる。
【０００９】
フック７、及び側板のフック係止孔１３の形状は図示したものに限定されず、例えばフック７の代わりにピンやビスを用い、側板３にそれらが貫通する丸孔を上下方向に複数形成してもよい。また、床板５の左右側端部にラッチを取付け、側板３にラッチの爪が係止する孔を上下方向に複数形成してあってもよい。
【００１０】
図４は、本発明の第二実施形態を示している。この実施形態では、側板３を切り起こして上下方向に複数のフック部１６を形成してあり、別体のフック７を用いることなく、床板の切り欠き部６を係止部として複数のフック部１６の何れかに直接係止するようにしており、係止するフック部１６の高さを変更することで、床板５の傾斜角度を変更できる。
【００１１】
図５と図６は、本発明の第三実施形態を示している。この実施形態では、容器の後板２の左右両側に柱部１５を設け、柱部１５にフック係止孔１３を上下に間隔をおいて複数設けてある。床板５は、図６に示すように、当接部１４を床板支持部４に支持するとともに、後側端部に形成した切り欠き部６をフック７に引っ掛けて設置している。フック７が係止するフック係止孔１３の位置を上下に変更することで、床板５の傾斜角度を変更できる。
【００１２】
図７と図８は、本発明の第四実施形態を示している。この実施形態では、図７に示すように、床板５の後側端部にフック７を固着して設け、容器の柱部１５には、フック７が係止する縦長スリット状のフック係止孔１３を、上下方向に間隔をおいて複数設けている。このように形成すれば、フックの着脱を行うことなく、床板のフック７を柱部の複数のフック係止孔１３のいずれかに係止して、床板５を異なる角度で傾斜して取付けできる。
【００１３】
本発明は、以上に述べた実施形態に限定されない。容器本体の後板は、フックをどこにでも引っ掛けることのできる金網とすることもできる。容器本体の底部は、容器の底を全部塞ぐように底板を設けてもよいし、前板の後方に床板支持部のみを設けてもよい。
【図面の簡単な説明】
【００１４】
【図１】本発明の商品収納容器の第一実施形態を示す前後方向の縦断面図である。
【図２】本発明の商品収納容器の第一実施形態を示す左右方向の縦断面図である。
【図３】本発明の商品収納容器の第一実施形態を示す分解斜視図である。
【図４】本発明の商品収納容器の第二実施形態を示す分解斜視図である。
【図５】本発明の商品収納容器の第三実施形態を示す分解斜視図である。
【図６】本発明の商品収納容器の第三実施形態を示す前後方向の縦断面図である。
【図７】本発明の商品収納容器の第四実施形態を示す分解斜視図である。
【図８】本発明の商品収納容器の第四実施形態を示す前後方向の縦断面図である。
【符号の説明】
【００１５】
１  前板
２  後板
３  側板
４  床板支持部
５  床板
７  フック（係止部）
１３  フック係止孔（被係止部）
１６  フック部（被係止部）
【図１】
2006000551.tif 000003
【図２】
2006000551.tif 000004
【図３】
2006000551.tif 000005
【図４】
2006000551.tif 000006
【図５】
2006000551.tif 000007
【図６】
2006000551.tif 000008
【図７】
2006000551.tif 000009
【図８】
2006000551.tif 000010